(57)【特許請求の範囲】
【請求項１】
室内と室外を連通する通風路を形成する筒状の本体部と、
前記本体部の前記通風路の前面開口部を開閉するパネル部を有した換気口において、
前記本体部は、前後方向に移動操作することによる前後方向の所定の位置に保持する軸部を設けた機構部を有し、
前記パネル部の裏面には、パッキンを貼り付けるとともに、
前記本体部の前面開口部に前後方向移動自在に配設され前記軸部に着脱可能に係合する係合部と、
前記本体部の前記通風路を形成する筒の内側に沿った円弧状の壁面を有するガイド部を有し、
前記ガイド部は、前記通風路の下面側に沿って設けられ、
前記ガイド部には、前記本体部の筒側に突設した凸部を設け、
前記本体部には、前記凸部と係合する係合凹部を設けたことを特徴とする換気口。
【発明の詳細な説明】
【技術分野】
【０００１】
本発明は、建物の換気を行うために室内側に取り付けられる換気口に関するものである。
【背景技術】
【０００２】
従来の換気口は、特許文献１に記載の室内と室外を連通する通風路を形成する筒状の本体部と、本体部に前後方向に移動操作することによる前後方向の所定の位置に保持する軸部を設けた機構部を有し、本体部の前面開口部に前後方向移動自在に配設され、軸部に着脱可能に係合する係合部を有し、この本体部の前面開口部を開閉するパネル部とを有した
換気口が知られていた。
【０００３】
以下、その換気口について図６および図７を参照しながら説明する。
【０００４】
図６および図７に示すように、室内と室外を連通する通風路１０１を形成する筒状の本体部１０２と、本体部１０２に前後方向に移動操作することによる前後方向の所定の位置に保持する軸部１０３を設けた機構部１０４を有し、本体部１０２の前面開口部１０５に前後方向移動自在に配設され、軸部１０３に着脱可能に係合する係合部１０６を有しこの本体部１０２の前面開口部１０５を開閉するパネル部１０７を有していた。
【先行技術文献】
【特許文献】
【０００５】
【特許文献１】特開２００６−２４２４４６号公報
【発明の概要】
【発明が解決しようとする課題】
【０００６】
このような従来の換気口においては、軸部と係合部にはクリアランスを設けてあるが、このクリアランスによってパネル部を押して開閉操作をするときにパネル部ががたついて操作性が損ない、また、パネル部の全閉時にはパネル部が傾き密閉性を損なう、という課題を有していた。
【０００７】
そこで本発明は、上記従来の課題を解決するものであり、クリアランスによってパネル部を押して開閉操作をするときにパネル部ががたついて操作性が損い、また、パネル部の全閉時にはパネル部が傾き密閉性を損なうことを防止することができる換気口を提供することを目的とする。
【課題を解決するための手段】
【０００８】
そして、この目的を達成するために、本発明は、
室内と室外を連通する通風路を形成する筒状の本体部と、前記本体部の前記通風路の前面開口部を開閉するパネル部を有した換気口において、
前記本体部は、前後方向に移動操作することによる前後方向の所定の位置に保持する軸部を設けた機構部を有し、前記パネル部の裏面には、パッキンを貼り付けるとともに、前記本体部の前面開口部に前後方向移動自在に配設され前記軸部に着脱可能に係合する係合部と、前記本体部の前記通風路を形成する筒の内側に沿った円弧状の壁面を有するガイド部を有し、前記ガイド部は、前記通風路の下面側に沿って設けられ、前記ガイド部には、前記本体部の筒側に突設した凸部を設け、前記本体部には、前記凸部と係合する係合凹部を設けたものであり、これにより所期の目的を達成するものである。
【発明の効果】
【０００９】
本発明によれば、
室内と室外を連通する通風路を形成する筒状の本体部と、前記本体部の前記通風路の前面開口部を開閉するパネル部を有した換気口において、
前記本体部は、前後方向に移動操作することによる前後方向の所定の位置に保持する軸部を設けた機構部を有し、前記パネル部の裏面には、パッキンを貼り付けるとともに、前記本体部の前面開口部に前後方向移動自在に配設され前記軸部に着脱可能に係合する係合部と、前記本体部の前記通風路を形成する筒の内側に沿った円弧状の壁面を有するガイド部を有し、前記ガイド部は、前記通風路の下面側に沿って設けられ、前記ガイド部には、前記本体部の筒側に突設した凸部を設け、前記本体部には、前記凸部と係合する係合凹部を設けたという構成にしたことにより、パネル部の凸部と本体部の係合凹部が係合し、パネル部が開閉されることとなるので、クリアランスによってパネル部を押して開閉操作をす
るときにパネル部ががたついて操作性が損い、また、パネル部の全閉時にはパネル部が傾き密閉性を損なうことを防止することができる、という効果を得ることができる。
【図面の簡単な説明】
【００１０】
【図１】本発明の実施の形態１の換気口を示す斜視図
【図２】同換気口のパネル部の裏側を示す斜視図
【図３】同換気口を示す斜視図
【図４】同換気口のパネル部が開いている状態を示す断面図
【図５】同換気口のパネル部が閉じている状態を示す断面図
【図６】従来の換気口を示す斜視図
【図７】同換気口の断面図
【発明を実施するための形態】
【００１１】
本発明の請求項１記載の換気口は、前記本体部の前記通風路の前面開口部を開閉するパネル部を有した換気口において、
前記本体部は、前後方向に移動操作することによる前後方向の所定の位置に保持する軸部を設けた機構部を有し、前記パネル部の裏面には、パッキンを貼り付けるとともに、前記本体部の前面開口部に前後方向移動自在に配設され前記軸部に着脱可能に係合する係合部と、前記本体部の前記通風路を形成する筒の内側に沿った円弧状の壁面を有するガイド部を有し、前記ガイド部は、前記通風路の下面側に沿って設けられ、前記ガイド部には、前記本体部の筒側に突設した凸部を設け、前記本体部には、前記凸部と係合する係合凹部を設けた、という構成を有する。
【００１２】
これにより、パネル部の凸部と本体部の係合凹部が係合し、パネル部が開閉されることとなるので、クリアランスによってパネル部を押して開閉操作をするときにパネル部ががたついて操作性が損い、また、パネル部の全閉時にはパネル部が傾き密閉性を損なうことを防止することができる、という効果を奏する。
【００１３】
以下、本発明の実施の形態について図面を参照しながら説明する。
【００１４】
（実施の形態１）
図１は本発明の実施の形態の換気口を示す斜視図、図２は同換気口のパネル部の裏側を示す斜視図、図３は同換気口を示す斜視図、図４は同換気口の断面図、図５は同換気口のパネル部が閉じている状態を示す断面図である。
【００１５】
図１〜図５に示すように、室内と室外を連通する通風路１を形成する筒状の本体部２と、前記本体部２に本体部２の垂直方向である前後方向に移動操作することによる前後方向の後述するパネル部８が本体部２に対して開いている状態あるいは閉じている状態である所定の位置に保持する軸部３を設けた機構部４を有し、前記本体部２の前記室内側である前面開口部５に前後方向に移動自在に配設され前記軸部３に着脱可能に係合する係合部６を有し、この前記本体部２の前面開口部５を開閉する後述する係合部６の周囲を除いた裏面全面にパッキン７を備えたパネル部８と前記パネル部８裏面に前記本体部２の筒状内側に沿うガイド部９を有した換気口１０において、前記ガイド部９の前記本体部２の筒側に突設した凸部１１を設け、前記本体部２に係合凹部１２を設けた構成とする。
【００１６】
凸部１１は、ガイド部９の前後方向に複数設けた構成である。
【００１７】
なお、この実施の形態ではガイド部９の中央付近に１本設けた構成を記載している。
【００１８】
上記構成により、パネル部８の凸部１１と本体部２の係合凹部１２が係合したままで、
パネル部８が前後方向に開閉されることとなる。
【００１９】
よって、軸部３と係合部６やガイド部９と本体部２の筒状内側との隙間であるクリアランスによって、パネル部８を押して開閉操作をするときにパネル部８ががたついて操作性が損い、また、パネル部８の全閉時にはパネル部８が傾いて密閉性を損なうことを防止することができることとなる。
【産業上の利用可能性】
【００２０】
本発明にかかる換気口は、パネル部を押して開閉操作をするときにパネル部ががたついて操作性が損い、また、パネル部の全閉時にはパネル部が傾き密閉性を損なうことを防止することを可能とするものであるので、室外に設置される外壁端末換気口などとしても有用である。
【符号の説明】
【００２１】
１    通風路
２    本体部
３    軸部
４    機構部
５    前面開口部
６    係合部
７    パッキン
８    パネル部
９    ガイド部
１０  換気口
１１  凸部
１２  係合凹部
【図１】
0006019382.tif 000002
【図２】
0006019382.tif 000003
【図３】
0006019382.tif 000004
【図４】
0006019382.tif 000005
【図５】
0006019382.tif 000006
【図６】
0006019382.tif 000007
【図７】
0006019382.tif 000008